(57)【要約】【課題】  画像データを検索する場合の操作を簡略化し、利用者の負担を軽減することができる通信装置、画像記憶装置、撮像装置およびそれらの制御方法を提供することを目的とするものである。【解決手段】  通信装置が撮像装置に、リモートによって撮像指示信号を送信する際に、通信装置が取得した位置情報を送信し、撮像装置は、撮像指示信号を受信すると、撮像を行い、撮像画像を記憶する際には、受信した位置情報を画像のヘッダ部に格納して記憶し、また、通信装置から撮像装置が記憶している画像を検索する際に、撮像装置は、画像に付加されている検索条件（時間情報、位置情報、キーワード）、位置情報の属性（ＧＰＳ情報、基地局ＩＤ、キャラクタデータ）を通信装置に通知する。【選択図】  図１
2004171528.tif 000002
【特許請求の範囲】
【請求項１】
通信相手が記憶している画像データに付加されている検索条件の属性を認識する認識手段と；
上記認識手段による認識に基づいて、上記通信相手が記憶している画像データを検索する検索手段と；
を有することを特徴とする通信装置。
【請求項２】
請求項１において、
上記検索条件は、位置情報を含み、
上記認識手段は、通信相手が記憶している画像データに付加されている位置情報の属性を認識することを特徴とする通信装置。
【請求項３】
請求項１において、
上記認識手段により認識した検索条件の属性を表示する表示手段を有することを特徴とする通信装置。
【請求項４】
請求項１において、
上記通信相手に対して、上記通信相手が記憶している画像データに付加されている検索条件の属性を問い合わせる問合手段を有し、
上記認識手段は、上記問合手段による問合わせ結果に基づいて、上記認識を行うことを特徴とする通信装置。
【請求項５】
請求項４において、
上記問合手段は、上記通信相手が記憶している画像の検索のために、上記通信相手と接続する度に、上記問合わせを行うことを特徴とする通信装置。
【請求項６】
請求項４において、
上記通信相手が記憶している画像の検索のために上記通信相手と接続しても、上記問い合わせ手段による問い合わせを行わないモードに設定する設定手段を有することを特徴とする通信装置。
【請求項７】
請求項４において、
上記通信相手が記憶している画像の検索には係わらずに、上記通信相手と接続すると上記問合手段による問合わせを行うモードに設定する設定手段を有することを特徴とする通信装置。
【請求項８】
請求項７において、
上記設定手段による設定に応じて、上記認識手段が認識した検索条件の属性を表示する表示手段を有することを特徴とする通信装置。
【請求項９】
請求項１において、
上記検索手段は、
上記認識手段による認識に応じて、検索条件を変換する変換手段と；
上記変換手段により変換された検索条件を、上記通信相手に通知する通知手段と；
を有することを特徴とする通信装置。
【請求項１０】
請求項９において、
上記認識手段が認識した属性のうち、所望の属性を選択する選択手段を有し、
上記変換手段は、上記選択手段による選択に基づいて、検索条件を変換することを特徴とする通信装置。
【請求項１１】
請求項１において、
上記認識手段が認識した属性のうち、所望の属性を選択する選択手段と；
上記選択手段が選択した属性の検索条件が、上記通信装置が利用可能か否かを判別する判別手段と；
を有することを特徴とする通信装置。
【請求項１２】
請求項１１において、
上記判別手段は、上記通信相手が記憶している画像データに付加されている検索条件に基づいて、上記判別を行うことを特徴とする通信装置。
【請求項１３】
メモリに記憶している画像データに付加されている検索条件の属性を通信相手に通知する通知手段と；
上記通信相手からの要求に応じて、上記画像データを検索する検索手段と；
を有することを特徴とする画像記憶装置。
【請求項１４】
請求項１３において、
上記検索条件は、位置情報を含み、
上記通知手段は、上記画像データに付加されている位置情報の属性を通知することを特徴とする画像記憶装置。
【請求項１５】
請求項１３において、
上記通知手段は、上記通信相手からの要求に基づいて、検索条件の属性を通知することを特徴とする画像記憶装置。
【請求項１６】
請求項１３において、
上記通信相手から受信した情報に基づいて、上記通信相手が検索条件として送信できる属性の検索条件が所定のフォーマットか否かを判別する判別手段を有することを特徴とする画像記憶装置。
【請求項１７】
位置情報を取得する取得手段と；
撮像装置に対して撮像を指示する撮像指示信号を送る際に、上記取得手段が取得した位置情報を、送信する送信手段と；
を有することを特徴とする画像記憶装置。
【請求項１８】
請求項１７において、
上記取得手段は、複数の属性の位置情報を取得でき、
上記送信手段は、上記複数の属性の位置情報を選択的に送信することを特徴とする画像記憶装置。
【請求項１９】
請求項１８において、
上記複数の属性の位置情報のうち、任意の位置情報を選択する選択手段と；
上記送信手段は、上記選択手段による選択に基づいて、位置情報を送信することを特徴とする画像記憶装置。
【請求項２０】
請求項１７において、
上記送信手段が送信した位置情報に関連する情報を表示する表示手段を有することを特徴とする画像記憶装置。
【請求項２１】
請求項１７において、
上記取得手段は、複数の属性の位置情報を取得でき、
上記取得手段により取得できている位置情報の属性を表示する表示手段を有することを特徴とする画像記憶装置。
【請求項２２】
請求項１７において、
上記撮像装置が記憶している画像データを検索する検索手段を有することを特徴とする画像記憶装置。
【請求項２３】
撮像指示を行う通信相手から、上記撮像装置に対して撮像を指示する撮像指示信号と共に、位置情報を受信する受信手段と；
上記受信手段により受信された撮像指示信号に基づいて撮像を行う撮像手段と；
上記撮像手段により撮像された画像に関連つけて、上記受信手段により受信した位置情報を記憶する記憶手段と；
を有することを特徴とする画像記憶装置。
【請求項２４】
上記請求項２３において、
上記記憶手段は、記憶する画像に上記位置情報を付加して記憶するものであることを特徴とする画像記憶装置。
【請求項２５】
請求項２３において、
上記通信相手からの指示に基づいて、記憶している画像に関連して記憶している位置情報の属性を、上記通信相手に通知する通知手段を有することを特徴とする画像記憶装置。
【請求項２６】
請求項２３において、
記憶している画像に関連して記憶している位置情報に基づいて、画像を検索する検索手段を有することを特徴とする画像記憶装置。
【請求項２７】
請求項２３において、
記憶している画像に関連して記憶している位置情報の属性に基づいて、画像を検索する検索手段を検索することを特徴とする画像記憶装置。
【請求項２８】
通信相手が記憶している画像データに付加されている検索条件の属性を認識する認識工程と；
上記認識工程における認識に基づいて、上記通信相手が記憶している画像データを検索する検索工程と；
を有することを特徴とする通信装置の制御方法。
【請求項２９】
メモリに記憶している画像データに付加されている検索条件の属性を通信相手に通知する通知工程と；
上記通信相手からの要求に応じて、上記画像データを検索する検索工程と；
を有することを特徴とする画像記憶装置の制御方法。
【請求項３０】
位置情報を取得する取得工程と；
撮像装置に対して撮像を指示する撮像指示信号を送る際に、上記取得工程において取得した位置情報を、送信する送信工程と；
を有することを特徴とする画像記憶装置の制御方法。
【請求項３１】
撮像指示を行う通信相手から、撮像装置に対して撮像を指示する撮像指示信号と共に、位置情報を受信する受信工程と；
上記受信工程において受信した撮像指示信号に基づいて撮像を行う撮像工程と；
上記撮像工程において撮像した画像に関連つけて、上記受信工程において受信した位置情報を記憶する記憶工程と；
を有することを特徴とする画像記憶装置の制御方法。
【発明の詳細な説明】
【技術分野】
【０００１】
本発明は、通信装置から他の装置が記憶している画像を検索する際の技術、及び、検索を簡単に行えるようにするための技術に関する。
【背景技術】
【０００２】
近年、電子アルバム作成や画像検索を容易にするために、画像撮像装置で撮影した画像データに、時間情報、位置情報、各種撮影条件等の情報を付加することができる。
【０００３】
画像データに付加されている撮影場所の地名、住所、撮影日時、撮影者、キーワード等の情報に基づいて、画像検索を行うことが提案されている。
携帯電話にデジタルカメラ内の画像のファイル名、サムネイル、プロパティ等を表示し、選択できるようにし、選択画像をデジカメから携帯に送ることが開示されている（たとえば、特許文献１参照）。
【０００４】
また、撮影場所の地名、住所等の位置情報には、ＧＰＳ（Global Positioning System）情報を用いることができる。
【０００５】
画像撮像装置がＧＰＳ信号を受信して測位し、この測位情報を、地図情報データベースを持つサーバに送信する。サーバは、受信した測位情報を地図情報に変換した後に、再び画像撮像装置に送信し、画像撮像装置は、サーバから受信した地図情報を画像データのヘッダー部に格納することが開示されている（たとえば、特許文献２参照）。
【０００６】
また、ＧＰＳ情報の他に、携帯電話システムの公衆基地局からの基地局ＩＤ番号を位置情報に用いることができ、位置情報の種類も様々である。
【０００７】
そのため、画像撮像装置に記憶されている画像データには、ＧＰＳ情報が付加されているのか、基地局ＩＤ番号が付加されているのかを、ユーザは判断できず、位置情報により画像検索を行おうとした場合、どの位置情報を用いて検索をすればよいのか判らず不便である。
【０００８】
また、位置情報以外で検索する場合も、画像撮像装置に記憶されている画像データには、どのような検索情報が付加されているのかが、ユーザはわからず、検索するには不便である。
【０００９】
また、携帯電話などの携帯端末には、ＧＰＳによる測位機能や基地局ＩＤ番号を用いた測位機能を有するものがあるにも係わらず、画像撮像装置で撮影した画像に撮影場所の位置情報を付加しようとした場合には、画像撮像装置にＧＰＳによる測位機能や基地局ＩＤ番号を用いた測位機能を設けるか、測位機能を有する他の装置から測位情報を送ってもらわなければならない。
【００１０】
画像撮像装置に測位機能を設けると、画像撮像装置を小型化する妨げになる。
【００１１】
他の装置から測位情報を送ってもらう場合は、画像撮像装置から他の装置に対して測位情報を要求し、他の装置は、この要求を受けると、測位を行って、その結果を画像撮像装置に送信することになるので、測位情報をもらうためだけの接続を行わなければならない。
【特許文献１】特開２００１−２３０９９９号公報
【特許文献２】特開２００１−２１１３６４号公報
【発明の開示】
【発明が解決しようとする課題】
【００１２】
本発明の目的は、画像データを検索する場合の操作を簡略化し、利用者の負担を軽減することである。
【００１３】
また、本発明の他の目的は、検索対象の画像データに付加されている検索条件の属性をユーザに通知することである。
【００１４】
また、本発明の他の目的は、画像に種々の属性の位置情報が付加されていても、容易に検索を行えるようにすることである。
【００１５】
また、本発明の他の目的は、画像撮像装置に位置情報を通知する際の効率化を図ることである。
【００１６】
また、本発明の他の目的は、以下の明細書及び図面より明らかとなるであろう。
【課題を解決するための手段】
【００１７】
本発明は、通信相手が記憶している画像データに付加されている検索条件の属性を認識する認識手段と、上記認識手段による認識に基づいて、上記通信相手が記憶している画像データを検索する検索手段とを有する通信装置およびその制御方法である。
【００１８】
また、メモリに記憶している画像データに付加されている検索条件の属性を通信相手に通知する通知手段と、上記通信相手からの要求に応じて、上記画像データを検索する検索手段とを有することを特徴とする画像記憶装置およびその制御方法である。
【００１９】
また、位置情報を取得する取得手段と、撮像装置に対して撮像を指示する撮像指示信号を送る際に、上記取得手段が取得した位置情報を、送信する送信手段とを有することを特徴とする画像記憶装置およびその制御方法である。
【００２０】
また、撮像指示を行う通信相手から、上記撮像装置に対して撮像を指示する撮像指示信号と共に、位置情報を受信する受信手段と、上記受信手段により受信された撮像指示信号に基づいて撮像を行う撮像手段と、上記撮像手段により撮像された画像に関連つけて、上記受信手段により受信した位置情報を記憶する記憶手段とを有することを特徴とする画像記憶装置およびその制御方法である。
【発明の効果】
【００２１】
本発明によれば、画像データの検索に関する利用者の負担を軽減することができるという効果を奏する。
【発明を実施するための最良の形態】
【００２２】
発明を実施するための最良の形態は、以下の実施例である。
【実施例１】
【００２３】
図１は、本発明の一実施例である無線通信システムＲＣ１を示す図である。
【００２４】
無線通信システムＲＣ１は、高度約２万Ｋｍの宇宙空間に配置されている複数のＧＰＳ衛星１と、デジタルカメラ等の画像撮像装置２と、画像撮像装置２に無線接続し、画像撮像装置２をリモートコントロールする携帯電話機等の携帯端末３と、インターネット上に設けられている位置情報データベースを所持するサーバ５と、サーバ５に接続されている複数の中継局（基地局）４とを有する。
【００２５】
携帯端末３は、画像撮像装置２をリモートコントロールでき、無線回線を介して撮影指示等を行え、シャッタレリーズ信号（撮影指示信号）を画像撮像装置２に送信する際に、中継局４から撮影場所の基地局ＩＤを位置情報として取得し、または、ＧＰＳ衛星１から、ＧＰＳ情報を位置情報として取得する。そして、携帯端末３は、リモートコントロールによる撮影指示時に、シャッタレリーズ信号と共に上記位置情報を画像撮像装置２に送信する。また、位置情報としては、ユーザにより入力されたキャラクタデータを送信することもできる。また、携帯端末３は、画像撮像装置２に記録されている画像データについて画像検索を行う機能を有し、画像データに付加されている時間情報、位置情報、キーワードを検索条件として画像検索する。
【００２６】
図２は、本実施例における携帯端末３の一例を示すブロック図である。
【００２７】
携帯端末３は、Ｂｌｕｅｔｏｏｔｈ無線部２１４と、携帯端末本体２２０とによって構成されている。
【００２８】
Ｂｌｕｅｔｏｏｔｈ無線部２１４は、通信用アンテナ２１９を具備するＢｌｕｅｔｏｏｔｈ通信用無線回路２１８と、Ｂｌｕｅｔｏｏｔｈ無線部２１４を制御するＣＰＵ２１７と、リンクベースバンドコントローラ（ＬＢＣ）２１６と、携帯端末本体２２０とのインタフェース部である外部インタフェース２１５を備えている。
【００２９】
無線回路２１８は、デジタル変調やスペクトル拡散、信号レベルの増幅等を行う。ＣＰＵ２１７とＬＢＣ２１６とは、無線リンクを構成する処理や信号の符号・復号化処理等を行うリンクマネージャとしての機能を持つ。
【００３０】
外部インタフェース２１５は、ホストコマンドインタフェース（ＨＣＩ）としての機能を具備する。
【００３１】
携帯端末本体２２０は、携帯電話システムによる無線通信を行うための公衆回線用アンテナ２０１、所定のフォーマットに多重化された音声データまたは画像データを、携帯電話通信用の中継局４に向け送信する無線通信部２０２と、送受信データを一時的に蓄える送受信バッファ２０３と、機能全体の制御を行うＣＰＵ２０６が処理を行う際の作業領域であるＲＡＭ２０４と、ＣＰＵ２０６を動作させるプログラムや通信先のアドレス等各種データを記憶するＰＲＯＭ２０５とを有する。
【００３２】
また、携帯端末本体２２０は、マルチメディア情報を音声データと画像データに識別する音声・映像識別部２０７と、表示用のＬＣＤを制御するＬＣＤ制御部２０８と、マイクロフォン、スピーカ、カメラ、キーボタン等で構成される操作部２１０と、ＬＣＤ制御部２０８で制御された画像を表示する表示部２１１を含む入出力部２０９と、相手機器から位置情報の属性を取得し、記憶する位置属性情報受信部２１２と、撮影指示する際にＧＰＳ衛星１や中継局４等から受信した位置情報等のデータを送信する位置情報送信部２１３と、ＧＰＳ衛星１からのＧＰＳ情報を受信するＧＰＳ受信部２２１を有する。
【００３３】
なお、本実施例の携帯端末３には、ＧＰＳ受信部を設けたが、ＧＰＳ受信部が無い場合には、以下で説明する位置情報には、中継局４の基地局ＩＤか、ユーザにより入力されたキャラクタデータを用いるものとする。
【００３４】
また、ＧＰＳ受信部２２１が備わっている携帯端末３の場合は、操作部２１０の操作により、位置情報として、ＧＰＳ受信部２２１により受信した位置情報を画像撮像装置２に送信するか、中継局４から受信した基地局ＩＤを、位置情報を画像撮像装置２に送信するか、操作部２１０の操作によりキャラクタデータ（文字データ）を送信するかを選択することができる。また、位置情報を送信する際に、ＧＰＳ受信部２２１によりＧＰＳ情報を受信できない場合や、中継局４からの基地局ＩＤを受信できない場合には、上記選択に係わらず、そのときに送信できる位置情報を自動的に送信することにより、可能な限り位置情報を画像撮像装置２に送信するようにしている。
【００３５】
また、画像撮像装置２に送信する位置情報は、ＧＰＳ情報、基地局ＩＤ、キャラクタデータのうちのいずれか１つでもよく、２つ、もしくは、３つ全てでもよい。この設定も操作部２１０の操作により行うことができる。
【００３６】
図３は、本実施例における画像撮像装置２の一例を示すブロック図である。
【００３７】
画像撮像装置２は、Ｂｌｕｅｔｏｏｔｈ無線部３１３と、画像撮像装置本体３１９とを有する。
【００３８】
Ｂｌｕｅｔｏｏｔｈ無線部３１３は、携帯端末３の場合と同等の機能を備えている。
【００３９】
画像撮像装置本体３１９は、被写体の像を受光面に結像させて光電変換する撮像部３０１と、画素数の変換やガンマ補正、コントラスト補正等各種補正を行う画像処理部３０２と、画像データを撮影モードによってＪＰＥＧ、ＭＰＥＧ等に圧縮する圧縮制御や、表示部３０６へ表示する際に伸張制御（解凍）を行う圧縮解凍部３０３と、撮影した画像データを表示する表示部３０６とを有する。
【００４０】
また、画像撮像装置本体３１９は、シャッター操作や各種設定を行う操作部３０５を含む入出力部３０４と、主に制御を統括する画像撮像装置マイコン等を含むＣＰＵ３０７と、携帯端末３の位置情報送信部２１３から送信された位置情報を取得する位置情報取得部３０８と、画像検索時の検索条件を取得する画像検索条件取得部３０９と、記録媒体３１１に記録されている画像データの位置情報の属性を上記携帯端末に送信する位置属性情報送信部３１０と、画像検索条件に応じて画像検索する画像検索部３１２等を有する。
【００４１】
図４は、本実施例において、携帯端末３が画像撮像装置２に、シャッタレリーズ信号と位置情報とを送信する動作を示すフローチャートである。
【００４２】
まず、携帯端末３は、操作者の操作部２１０により画像撮像装置２のリモートコントロールモードに設定されると、ＧＰＳ受信部２２１は、ＧＰＳ衛星１からのＧＰＳ情報の受信処理を開始すると共に、接続相手の画像撮像装置２とＢｌｕｅｔｏｏｔｈ仕様とに基づいて接続する（Ｓ４０１）。
【００４３】
次に、操作部２１０の撮影釦を押すことによって、シャッタレリーズ信号が携帯端末３のＢｌｕｅｔｏｏｔｈ用アンテナ２１９から画像撮像装置２に送信される（Ｓ４０２）。これと同時に、送信する位置情報として設定されている位置情報を取得し（Ｓ４０３）、位置情報送信部２１３、Ｂｌｕｅｔｏｏｔｈ用アンテナ２１９を介して、画像撮像装置２へ送信する（Ｓ４０４）。つまり、操作部２１０の設定に応じて、中継局４から公衆用アンテナ２０１を介して受信した基地局ＩＤ、またはＧＰＳ衛星１からＧＰＳ受信部２２１を介して受信したＧＰＳ情報、操作部２１０の操作により位置情報として入力されたキャラクタデータのいずれか１つ、もしくは、それらのうちの２つ、もしくは、３つ全てを、撮影釦の押下に応答して取得し、送信する。
【００４４】
そして、送信した位置情報の属性を表示部２１１に表示することで実際に画像に付加された位置情報の属性をユーザに通知する（Ｓ４０５）。このステップＳ４０５での表示は、送信した位置情報がＧＰＳ情報であるか、基地局ＩＤであるか、キャラクタであるか、または、それに加え、実際に送信した緯度、経度情報、基地局ＩＤ番号、キャラクタデータを表示する。
【００４５】
図８は、送信した位置情報の属性を表示部２１１に表示している携帯端末３の画面表示例を示す図であり、この例によれば、基地局ＩＤを位置情報として送信したことを示している。
【００４６】
携帯端末３は、一般的な携帯電話の形態を有し、アンテナ８０１（２０１）、スピーカ８０２、表示部８０４（２１１）、操作部８０６（２１０）、マイク８０７を有し、送信した位置情報属性８０５は、画面右下に表示される。もちろん、画面上部でも、画面左下でも、位置情報属性８０５を表示するようにしてもよい。
【００４７】
ユーザは、位置情報属性８０５を確認することにより、画像撮像装置２に送信した位置情報の属性を判別することができる。
【００４８】
また、送信した位置情報の属性が複数ある場合、つまり、画像検索時に検索可能な位置情報の属性が複数ある場合は、並べて表示してもよく、また、「局ＩＤ他」のような形で、利用者に通知するようにしてもよい。また、携帯端末３の設定により送信する設定になっていない位置情報の属性や、またはエラーにより送れなかった位置情報の属性には、「×」印を表示するようにしてもよい。また、これら表示部に表示する属性を、画像検索アプリケーションが立ち上がっている時のみに、表示するようにしてもよく、常に表示されるようにしてもよい。
【００４９】
図５は、本実施例において、画像撮像装置２が携帯端末３から、シャッタレリーズ信号、位置情報を受信する動作を示すフローチャートである。
【００５０】
画像撮像装置２は、接続先の携帯端末３とＢｌｕｅｔｏｏｔｈ仕様に基づいて接続する（Ｓ５０１）。接続先の携帯端末３から送信されたシャッタレリーズ信号と位置情報とを、画像撮像装置２のＢｌｕｅｔｏｏｔｈ無線部３１３、位置情報取得部３０８で受信すると（Ｓ５０２）、撮像部３０１により撮影を行う。また、受信した位置情報を、撮影した画像データのヘッダー部に撮影場所情報として格納し（Ｓ５０３）、記録媒体３１１に保存する。
【００５１】
次に、本実施例において、携帯端末３側で、画像検索する場合の動作を具体的に説明する。
【００５２】
図６は、携帯端末３と画像撮像装置２とを無線接続し、携帯端末３側で画像検索する動作を示すフローチャートである。
【００５３】
まず、携帯端末３のＰＲＯＭ２０５に格納されている画像検索プログラムを立ち上げ、画像検索を開始する（Ｓ６０１）。
【００５４】
次に、検索条件を時間情報、位置情報、キーワード等から、図９に示す設定画面で、操作部２１０で所望の検索条件を選択し、決定ボタンを押すことによって、検索条件を設定する（Ｓ６０２）。
【００５５】
上記「時間情報」は、少なくとも、撮影日、撮影時間であり、上記「位置情報」は、少なくとも、ＧＰＳ情報に伴う緯度・経度情報、各携帯端末に中継局から送信される基地局ＩＤ、「日本、東京都、渋谷、２−△×１−３」等のキャラクタデータによる住所、「ユニバー○ルスタ○オジャパン」、「富士山」等のキャラクタデータによる地名である。
【００５６】
また、上記「キーワード」は、「結婚式」、「ハワイ旅行」等のキャラクタデータである。ここで、検索条件が、位置情報であるか、またはそれ以外であるかを判別し（Ｓ６０３）、時間またはキーワード等の検索条件を選択した場合、それら選択された検索条件による検索を要求する情報、つまり時間情報かキーワードによる検索を要求するコマンドと、検索する時間情報、キーワードを画像撮像装置２に送信することにより、画像検索を開始する（Ｓ６０４）。そして、画像撮像装置２から検索結果の画像データを受信する（Ｓ６１６）。
【００５７】
また、検索条件として、位置情報が設定されたと判別した場合（Ｓ６０３）、位置情報による検索を要求するコマンドを接続相手側（ここでは画像撮像装置２）に送信する（Ｓ６０５）。
【００５８】
位置情報による検索要求を受信した画像撮像装置２は、位置情報が付加された画像データが記憶媒体３１１に格納されていると、画像撮像装置２に記憶されている画像データに付加されている位置情報の属性を携帯端末３に送信する。携帯端末３は、Ｂｌｕｅｔｏｏｔｈ無線部２１４、位置属性情報受信部２１２によって、画像撮像装置２から位置情報の属性を取得し（Ｓ６０６）、ＣＰＵ２０６に渡す。
【００５９】
ＣＰＵ２０６は、取得した位置情報の属性をＰＲＯＭ２０５に格納されている画像検索プログラムに情報を渡すとともに、ＬＣＤ制御部２０８を介して、入出力部２０９の表示部２１１に取得した位置情報の属性を図１０のように表示する。
【００６０】
図１０は、ＧＰＳ、局ＩＤ、キャラクタの全ての位置情報属性を取得し、表示している例であるが、取得されなかった位置属性情報は表示されないようにしても、取得した位置情報属性と取得されなかった位置情報属性とが区別できるように表示してもよい。
【００６１】
上記「属性」は、画像データにＧＰＳ情報が付加されている場合は、「ＧＰＳ」であり、各携帯端末に対応した基地局ＩＤが付加されている場合は、「局ＩＤ」であり、キャラクタデータで住所や地名が付加されている場合は、「キャラクタ」である。
【００６２】
次に、取得した属性情報から画像検索に用いる属性を携帯端末３の操作部２１０を操作し、図１０に示す設定画面で、操作部２１０で所望の検索属性を選択し、決定ボタンを押すことにより検索属性を設定する（Ｓ６０７）。
【００６３】
しかし、基地局ＩＤは、携帯電話通信を提供するサービス会社ごとに異なる場合があるので、会社によって、基地局ＩＤのフォーマットや基地局ＩＤが示す範囲が異なり、ユーザが所有している携帯端末３からでは、他会社の基地局ＩＤを検索条件として指定できない（送信できない）ことが考えられる。
【００６４】
そこで、画像撮像装置２の記憶媒体３１１に格納されている画像データのヘッダー部に付加されている基地局ＩＤと、携帯端末３の機種が持つ基地局ＩＤとが同種のものであるか否かを判別する必要がある。
【００６５】
そのため、検索条件に用いる属性が基地局ＩＤであった場合（Ｓ６０８）、特別な基地局ＩＤを確認用局ＩＤとして位置情報送信部２１３から送信する（Ｓ６０９）。この基地局ＩＤは、利用者が画像検索を行っている場所の基地局ＩＤを用いて送信する。
【００６６】
接続先の画像撮像装置２から局ＩＤ対応信号を受信したら（Ｓ６１０）、利用者が使用している携帯端末３に対応する種別の基地局ＩＤが、画像撮像装置２に記憶されている画像データに付加されていると判別し（Ｓ６１１）、ステップＳ６１３に進み、携帯端末３に対応する種別の基地局ＩＤが付加されている画像データがないことを示すメッセージが受信された場合には、基地局ＩＤによる検索ができないことを通知するエラーメッセージを表示し（Ｓ６１２）、検索条件の変更を利用者に促し、ステップＳ６０２に戻り、検索条件を再設定する。
【００６７】
ステップＳ６１１の判断は、撮影時にシャッタレリーズ信号とともに送信する位置情報に、携帯端末３が利用する携帯電話サービス会社を識別する情報を付加し、位置情報としてこの識別情報もヘッダー部に格納するようにし、ステップＳ６０９で送信する確認用局ＩＤの送信の代わりに、携帯端末３が利用可能な携帯電話サービス会社を識別する情報を送信するようにしてもよい。また、Ｂｌｕｅｔｏｏｔｈのサービスディスカバリ（ＳＤＰ）を行い、画像撮像装置２の記憶媒体３１１に格納されている画像データに付加される局ＩＤの会社情報を取得するようにしてもよい。
【００６８】
ステップＳ６０７で設定された検索条件が基地局ＩＤ以外、または利用者が使用している携帯端末３が対応する種別の基地局ＩＤが検索条件として利用可能な場合は、検索する住所、地名を、携帯端末３の操作部２１０を操作して入力する（Ｓ６１３）。
【００６９】
次に、入力された地名、住所に基づいて、携帯端末３のＰＲＯＭ２０５に格納されているアプリケーション等を利用して位置情報−属性変換を行う（Ｓ６１４）。位置情報−属性変換は、ステップＳ６１３で入力した地名、住所を設定した位置情報の属性の情報に変換する。そして、この情報を検索条件として位置関連情報送信部２１３が画像撮像装置２に送信する（Ｓ６１５）。
【００７０】
たとえば、ステップＳ６０７では、検索属性を「ＧＰＳ」に設定し、ステップＳ６１３で「東京タワー」と入力した場合、「東京タワー」の所在する緯度・経度情報に変換し、この緯度、経度情報を、位置関連情報送信部２１３が画像撮像装置２に送信する。基地局ＩＤの場合は、「東京タワー」をカバーする基地局ＩＤを、基地局ＩＤマップのようなものから取得し、取得した基地局ＩＤを位置関連情報送信部２１３が送信する。アプリケーションによって、位置情報−属性変換を実行するようにしてもよく、ハードウェア的に処理するようにしてもよい。
【００７１】
なお、緯度・経度情報や基地局ＩＤマップ等各種データベースを、携帯端末３が所持するようにしてもよく、または、中継局４を介して、サーバ５から取得するようにしてもよい。位置情報−属性変換によって変換した検索情報を、接続先の画像撮像装置２へ送信し、この検索条件により画像撮像装置２が検索した結果、得られた所望の画像を画像撮像装置２から受信する（Ｓ６１６）ことによって、画像検索を行う。
【００７２】
次に、画像撮像装置側の処理の具体例について説明する。
【００７３】
図７は、本実施例において、携帯端末３からの指示により検索を行う画像撮像装置２側の処理動作を示すフローチャートである。
【００７４】
画像撮像装置２は、携帯端末３と無線接続して検索要求を受けた後に、携帯端末３がステップＳ６０２で設定し、ステップＳ６０４、６０５で送信した検索条件を示す情報を、Ｂｌｕｅｔｏｏｔｈ無線部３１３を介して、画像検索条件取得部３０９が受信すると（Ｓ７０１）、ＣＰＵ３０７は受信した情報に基づいて、位置情報による検索を行うのか、時間情報やキーワードによる検索を行うのかを判断する（Ｓ７０２）。位置情報による検索が要求された場合、記憶媒体３１１に格納されている画像データにおけるヘッダーに含まれる位置情報の属性を、画像検索部３１２が読み取る（Ｓ７０３）。
【００７５】
検索条件が「位置情報」である場合における属性は、「ＧＰＳ」、「局ＩＤ」、住所、地名等の「キャラクタ」であり、記憶媒体３１１に上記属性が付加されている画像データがある場合（Ｓ７０４）、画像データに付加されている位置情報の属性を接続先の携帯端末３に対して、位置属性情報送信部３１０がＢｌｕｅｔｏｏｔｈ無線部３１３を介して送信する（Ｓ７０５）。たとえば、記憶媒体３１１に格納されている画像データには、位置情報としてＧＰＳ情報しか付加されていない場合には、属性情報として「ＧＰＳ」を送信し、ＧＰＳ情報が付加されている画像データと基地局ＩＤが付加されている画像データが存在する場合や、１つの画像データにＧＰＳ情報と基地局ＩＤが付加されている場合は、属性情報として「ＧＰＳ」と「局ＩＤ」を送信する。もちろん、住所、地名等のキャラクタデータが付加されている画像データが存在すれば「キャラクタ」を送信する。
【００７６】
接続先の携帯端末３から確認用局ＩＤを受信した場合（Ｓ７０６）、記憶媒体３１１に格納されている画像データのヘッダー部を参照し、格納されている基地局ＩＤと同一のフォーマットであるか否かを、画像検索部３１２が判断する（Ｓ７０７）。判断方法は、アプリケーションに依存するが、局ＩＤ同士の差分情報を用いてもよく、会社別の局ＩＤを識別する何らかの符号に基づいて判断するようにしてもよい。
【００７７】
同一のフォーマットの基地局ＩＤが付加されている画像データが１枚でもあれば、携帯端末３に対応する種別の基地局ＩＤが付加された画像データがあることを示す局ＩＤ対応信号を送信することで、接続先の携帯端末３が使用する種別の基地局ＩＤで検索が可能であることを通知し（Ｓ７０８）、対応する種別の基地局ＩＤが付加された画像データがない場合は、検索条件の変更を利用者に促すメッセージを送信する（Ｓ７１３）。なお、この送信データは、アプリケーションに依存するが、単純に０であれば、対応不可、１であれば対応可能であるというデータであってもよい。
【００７８】
一方、確認用局ＩＤを受信せずに、または、ステップＳ７０８で局ＩＤ対応信号を受信した後に、携帯端末がステップＳ６１５で送信した検索情報を受信した場合（Ｓ７０９）、記憶媒体３１１に格納されている画像データのヘッダー部を参照し、合致する位置情報を含む画像データが存在しているか否かを、画像検索部３１２が比較し、検索する（Ｓ７１０）。検索条件に合致する所望の画像データが存在している場合（Ｓ７１１）、その画像データを、携帯端末３に送信する（Ｓ７１２）。該当画像が無い場合は、その旨を利用者に通知するメッセージを送信する（Ｓ７１３）。
【００７９】
また、ステップＳ７０２において、位置情報による検索ではないと判断した場合、つまり、時間情報やキーワードによる検索であると判断した場合は、記憶媒体３１１に格納されている画像データのヘッダー部を参照し（Ｓ７１４、Ｓ７１５）、携帯端末３から受信した時間情報やキーワードに合致する画像データが存在しているか否かを、画像検索部３１２が比較し、検索する（Ｓ７１０）。検索条件に合致する所望の画像データが存在している場合（Ｓ７１１）、その画像データを、携帯端末３に送信する（Ｓ７１２）。該当画像が無い場合は、その旨を利用者に通知するメッセージを送信する（Ｓ７１３）。
【００８０】
なお、本実施例の携帯端末３には、画像検索プログラムを立ち上げなくても、相手機器との接続が完了した段階で、上記位置情報の属性の取得を自動的に行う自動モードが設けられている。
【００８１】
この自動モードを用いる場合には、画像検索プログラムを立ち上げる前から図１３のように画像撮像装置２に記憶されている画像データに付加されている位置情報の属性１３００を表示する。
【００８２】
図１３では、画像撮像装置２に記憶されている画像データに付加されている位置情報の属性として、基地局ＩＤとＧＰＳ情報が付加されていることを示す。
【００８３】
また、自動モードに設定している場合は、図６のステップＳ６０５、６０６の処理を行わなくても、画像検索アプリケーションを立ち上げたときには、すでに接続先の画像撮像装置２の画像データに付加されている位置情報の属性は判っているので、図９で示した検索条件設定項目を、図１２のように画像撮像装置２が記憶している画像データの含まれる位置情報に細分化して表示することで、検索条件の指示工程を減らすことができる。
【００８４】
また、他の画像撮像装置と接続し直したときに、前回設定した位置情報属性を変更しないロックモードも設けられている。このロックモードは、普段使用している画像撮像装置には、どの画像撮像装置に記憶されている画像データにも同様な位置情報が付加されているので、接続の度に位置情報の属性を画像撮像装置に確認する必要がなくなり、検索開始までの時間を短縮することができる。
【００８５】
図１１は、本実施例において、各種モードを設定する画面を示す図である。
【００８６】
操作部２１０で所望のモードを選択し、決定ボタンを押すことによって、所望のモードを変更することができる。
【実施例２】
【００８７】
本発明の第２の実施例は、携帯端末３に画像撮像装置機能が付いている機器において、第１の実施例で述べた画像撮像装置の機能を、画像撮像装置機能が付いている携帯端末側が持ち、第１の実施例で述べた携帯端末の機能を、画像撮像装置側または他の携帯端末が持つ実施例である。
【００８８】
なお、以上の説明では、画像撮像装置２は、携帯端末３からの位置情報による検索要求に対し、記憶している画像データに付加されている位置情報の属性を携帯端末３に通知したが、携帯端末３からの検索要求に対し、記憶している画像データに付加されている検索条件の種別（時間情報、キーワード、位置情報）を通知するようにしてもよい。このようにすることにより、たとえば、キーワードが付加されている画像データがあるのか否か、位置情報が付加されている画像データがあるのか否か、が判るので、無駄な検索条件の指定を防止することができる。
【００８９】
以上のように、本発明によれば、画像データを検索する場合における操作が簡略化され、利用者の負担を軽減することができる。
【００９０】
また、検索対象の画像データに付加されている検索条件、その属性を、検索を行う側の機器に通知でき、そのユーザにも通知することができるので、検索条件の指定を効率的に行えるようになる。
【００９１】
また、検索条件として、位置情報を指定する場合は、画像データに付加されている位置情報の属性を、検索を行う側の機器に通知でき、そのユーザにも通知することができるので、位置情報を使用して検索する場合の検索条件の指定を効率的に行えるようになる。
【００９２】
また、画像撮像装置へ位置情報を効率よく通知できる。
【図面の簡単な説明】
【００９３】
【図１】本発明の一実施例である無線通信システムＲＣ１を示す図である。
【図２】実施例における携帯端末３の一例を示すブロック図である。
【図３】実施例における画像撮像装置２の一例を示すブロック図である。
【図４】実施例において、携帯端末３が画像撮像装置２に、シャッタレリーズ信号と位置情報とを送信する際の動作を示すフローチャートである。
【図５】実施例において、画像撮像装置２が携帯端末３から、シャッタレリーズ信号、位置情報を受信する際の動作を示すフローチャートである。
【図６】実施例において、携帯端末３から画像撮影装置に記憶されている画像の検索する際の携帯端末３の動作を示すフローチャートである。
【図７】実施例において、携帯端末３から画像撮影装置に記憶されている画像の検索する際の画像撮像装置２の動作を示すフローチャートである
【図８】実施例において、位置情報の属性を取得したときに、携帯端末３の表示部２１１によって表示される携帯端末３の画面表示例を示す図である。
【図９】実施例において、携帯端末３から画像撮影装置に記憶されている画像の検索する際の検索条件設定の設定画面表示例を示す図である。
【図１０】実施例において、携帯端末３から画像撮影装置に記憶されている画像の検索する際の検索属性設定の設定画面表示例を示す図である。
【図１１】実施例において、携帯端末３の各種モードを設定する画面を示す図である。
【図１２】実施例において、自動モードでの携帯端末３の検索条件設定の設定画面表示例を示す図である。
【図１３】実施例において、自動モードでの携帯端末３の設定画面表示例を示す図である。
【符号の説明】
【００９４】
ＲＣ１…無線通信システム、
１…ＧＰＳ、
２…画像撮像装置、
３…携帯端末、
４…中継局、
５…サーバ、
２０２…無線通信部、
２０３…送受信バッファ、
２０４…ＲＡＭ、
２０５…ＲＯＭ、
２０６…ＣＰＵ、
２０７…音声・映像識別部、
２０８…ＬＣＤ制御部、
２１４…Ｂｌｕｅｔｏｏｔｈ無線部、
２１５…外部インタフェース、
２１６…リンクベースバンドコントローラ、
２１７…ＣＰＵ、
２１８…Ｂｌｕｅｔｏｏｔｈ通信用無線回路、
２１９…通信用アンテナ、
２２０…携帯端末本体、
２２１…ＧＰＳ受信部、
３１９…画像撮像装置本体、
３１３…Ｂｌｕｅｔｏｏｔｈ無線部。
【図１】
2004171528.tif 000003
【図２】
2004171528.tif 000004
【図３】
2004171528.tif 000005
【図４】
2004171528.tif 000006
【図５】
2004171528.tif 000007
【図６】
2004171528.tif 000008
【図７】
2004171528.tif 000009
【図８】
2004171528.tif 000010
【図９】
2004171528.tif 000011
【図１０】
2004171528.tif 000012
【図１１】
2004171528.tif 000013
【図１２】
2004171528.tif 000014
【図１３】
2004171528.tif 000015